(57)【要約】      （修正有）【課題】通常時は本体が密閉される構造を持った撮像装置において、撮影者がメモリカードを取り出す際にはメモリカードを急速に冷却し、メモリカードに触れた際の熱さによる不快感を防止することのできる構造を提供する。【解決手段】冷却ファン１０７の駆動時において、カード蓋１０９が閉じている状態においては、貫通穴２０４もしくは切り欠き部より内部空間２１２に空気が流入した後、冷却ファンにより内部空間から排出され、カード蓋が開いた状態においては、通風口２１１より内部空間に流入した空気を、冷却ファンにより内部空間から排出するように空気の流入経路が変わる。【選択図】図４ｂ
2017126232.tif 000002
【特許請求の範囲】
【請求項１】
メモリカードを着脱可能なカードスロットと、前記カードスロットが実装されたプリント基板と、前記カードスロットの挿入口に相対する部分に開口部が設けられた外装カバーと、前記開口部を覆う第１の位置と前記開口部が外観に露出する第２の位置の間で移動可能なカード蓋と、冷却ファンと、前記冷却ファンを駆動することにより形成される空気の流路を限定する為の成型部材とを有し、前記成型部材には少なくとも１つ以上の貫通穴もしくは切り欠き部が設けられるとともに、前記カード蓋が第１の位置にある際は前記冷却ファン、前記プリント基板、前記外装カバー、前記カード蓋、前記成型部材、で囲われた内部空間は、前記冷却ファン及び前記貫通穴もしくは前記切り欠き部の部分を除いて密閉されており、
前記冷却ファン駆動時において、前記カード蓋が第１の位置にある際には、前記貫通穴もしくは前記切り欠き部より前記内部空間に空気が流入した後、前記冷却ファンにより前記内部空間から排出され、
また前記ガード蓋が第２の位置にある際には、前記開口部より前記内部空間に流入した空気を、前記冷却ファンにより前記内部空間から排出するように空気の流入経路が変わることを特徴とするメモリカードの放熱構造。
【請求項２】
前記開口部と前記内部空間との間に形成される流路の面積は、前記貫通穴もしくは前記切り欠き部と前記内部空間との間に形成される流路の面積よりも大きいことを特徴とする請求項１に記載のメモリカードの放熱構造。
【発明の詳細な説明】
【技術分野】
【０００１】
本発明は、主に撮像装置における、メモリカードの放熱構造に関する。
【背景技術】
【０００２】
近年の撮像装置においては、本体の消費電力アップ及びＳＤカードなど着脱式のメモリカードの書き込み速度の増加に伴い、以前と比較して撮影中にメモリカードの温度が上昇するケースが多くなっている。その為、撮影者がメモリカードを取り出そうとメモリカードに触れた際の、熱さによる不快感を防止するために、メモリカードを放熱する必要性がより高まっている。
【０００３】
また、撮像装置の中には、砂漠や雨天時といった過酷な使用環境でも撮影が行えるように、通常時は本体が密閉され、防塵防滴構造となっているものが数多くある。このような撮像装置では本体内部に収納されているメモリカードを冷却することが困難である。
【０００４】
密閉された筺体内において、内部の部品を冷却する方法としては、特許文献１に示すように、冷却ファンを用いて冷却したい部品に空気を当て、それを筺体全体に攪拌する方法が提案されている。
【先行技術文献】
【特許文献】
【０００５】
【特許文献１】特開２００２−２５８９８７号公報
【発明の概要】
【発明が解決しようとする課題】
【０００６】
しかしながら、特許文献１に示すような方法だと、冷却したい部品に当てるのは、本体内部の暖まった空気である為、放熱効果としては高い効果を期待することは出来ない。
【０００７】
本発明は、上記の点に鑑みて為されたものであり、通常時は本体が密閉されるような構造を持った撮像装置において、撮影者がメモリカードを取り出す際にはメモリカードを急速に冷却し、メモリカードに触れた際の熱さによる不快感を防止することのできるような構造を提供することを目的とする。
【課題を解決するための手段】
【０００８】
上記の目的を達成するために、本発明に係るメモリカード放熱構造は、
メモリカードを着脱可能なカードスロットと、前記カードスロットが実装されたプリント基板と、前記カードスロットの挿入口に相対する部分に開口部が設けられた外装カバーと、前記開口部を覆う第１の位置と前記開口部が外観に露出する第２の位置の間で移動可能なカード蓋と、冷却ファンと、前記冷却ファンを駆動することにより形成される空気の流路を限定する為の成型部材とを有し、前記成型部材には少なくとも１つ以上の貫通穴もしくは切り欠き部が設けられるとともに、前記カード蓋が第１の位置にある際は前記冷却ファン、前記プリント基板、前記外装カバー、前記カード蓋、前記成型部材、で囲われた内部空間は、前記冷却ファン及び前記貫通穴もしくは前記切り欠き部の部分を除いて略密閉されており、前記冷却ファン駆動時において、前記カード蓋が第１の位置にある際には、前記貫通穴もしくは前記切り欠き部より前記内部空間に空気が流入した後、前記冷却ファンにより前記内部空間から排出され、また前記ガード蓋が第２の位置にある際には、前記開口部より前記内部空間に流入した空気を、前記冷却ファンにより前記内部空間から排出するように空気の流入経路が変わることを特徴とする。
【発明の効果】
【０００９】
本発明によれば、通常時は本体が密閉されるような構造を持った撮像装置において、撮影者がメモリカードを取り出す際にはメモリカードを急速に冷却し、メモリカードに触れた際の熱さによる不快感を防止することのできるような構造を提供することができる。
【図面の簡単な説明】
【００１０】
【図１】本発明実施例のシステムブロック図
【図２ａ】本発明実施例の構造を＋Ｚ方向から見た斜視図
【図２ｂ】本発明実施例の構造をーＺ方向から見た斜視図
【図２ｃ】本発明実施例の構造の正面図
【図２ｄ】本発明実施例の構造の断面図
【図２ｅ】本発明実施例を−Ｚ方向から見た斜視図
【図２ｆ】本発明実施例を−Ｚ方向から見た斜視図
【図２ｇ】本発明実施例の構造の部分詳細図
【図３ａ】本発明実施例を適用した撮像装置を＋Ｚ方向から見た斜視図
【図３ｂ】本発明実施例を適用した撮像装置を−Ｚ方向から見た斜視図
【図４ａ】本発明実施例によるメモリカードの冷却方法を示した断面図
【図４ｂ】本発明ｖによるメモリカードの冷却方法を示した断面図
【図５】本発明の第２の実施形態のシステムブロック図
【図６ａ】本発明の第２の実施形態の正面図
【図６ｂ】本発明の第２の実施形態によるメモリカードの冷却方法を示した断面図
【図６ｃ】本発明の第２の実施形態によるメモリカードの冷却方法を示した断面図
【発明を実施するための形態】
【００１１】
以下、本発明を実施するための形態を図面に基づいて説明する。
【００１２】
＜第１の実施形態＞
本発明に係るメディア放熱構造、及びそれを搭載した撮像装置について詳細に説明する。図１は本発明を適用した撮像装置のシステムを表したブロック図である。
【００１３】
レンズマウント１１１に装着された交換レンズ１１２を通して撮像部１１０へと取り込まれた光は、電気信号へと変換されて制御部１０１へと送られる。制御部１０１は上記電気信号に対して各種処理を行った後の映像データをカード基板１０２へ送り、カードコネクタ１０３に装着されているメモリカード１０４へと記録する。
【００１４】
カード着脱検知部１０５は、メモリカード１０４がカードコネクタ１０３に装着されているかどうかを検知し、カード基板１０２を通してその情報を制御部１０１へと送る。開閉検知部１０８はカード蓋１０９が開いているかどうかを検知し、その情報をカード基板１０２を通して制御部１０１へと送る。また制御部１０１はカード着脱検知部１０５及び開閉検知部１０８より得られた情報に従って、冷却ファン１０７を駆動もしくは停止する為の制御信号を冷却ファン１０７へと送る。
【００１５】
次に、本発明の構造について説明する。
【００１６】
図２ａは本発明の＋Ｚ方向からの斜視図、図２ｂはーＺ方向からの斜視図である。また図２ｃは本発明の構成を＋Ｚ方向から見た正面図であり、図２ｄは図２ｃにおけるＭ−Ｍ断面図である。
【００１７】
外装カバー２０１にはカードコネクタ１０３の挿入口２０９を露出させる為のカバー開口部２１０が設けられるとともに、そのカバー開口部２１０を覆う為のカード蓋１０９が取り付けられている。カード蓋１０９は蓋開閉スイッチ２０５を操作することにより、回転軸２０６を中心として図２ｄに示すα方向に回動可能となっている。
【００１８】
カード基板１０２及びカード基板１０２に実装されたカードコネクタ１０３は、コネクタ挿入口２０９がカバー開口部２１０と面するような向きに配置され、また冷却ファン１０７はカードコネクタ１０３を挟んでカバー開口部２１０とは反対側に配置されている。尚、冷却ファン１０７はファンの羽根の回転方向に対して鉛直方向に送風を行う軸流ファンであり、駆動時はーＺ方向より空気を吸い込んで＋Ｚ方向へと吐き出す。
【００１９】
カード基板１０２、冷却ファン１０７は保持部材２０２に対してそれぞれビス２０７ａ〜２０７ｄ、ビス２０３ａ〜２０３ｄで取り付けられており、保持部材２０２自身は図示せぬビスにより外装カバー２０１に取りつけられている。また保持部材２０２の側壁には空気の通り道となる貫通穴２０４が設けられている。尚、カード蓋１０９が閉じた状態においては、保持部材２０２、カード基板１０２、外装カバー２０１、カード蓋１０９、冷却ファン１０７により囲まれた内部空間２１２は、貫通穴２０４と冷却ファン１０７の部分以外は略密閉されている。
【００２０】
図２ｅは図２ｂよりカード蓋１０９が開いた状態を示し、図２ｆは図２ｅの状態からメモリカード１０４が挿入された状態を示している。また図２ｇは図２ｅの部分拡大図である。
【００２１】
図２ｅ、図２ｆに示すようにカード蓋１０９が開いた状態においては、カバー開口部２１０よりコネクタ挿入口２０９は露出し、メモリカード１０４の着脱が可能となる。カード着脱スイッチ２０８はメモリカード１０４が挿入された状態で＋Ｚ方向に押し込むことにより、メモリカード１０４をカバー開口部２１０より外観側に突出させて、取り出すことが出来るようにする為のスイッチである。
【００２２】
また図２ｄ、図２ｇに示すように、カバー開口部２１０とコネクタ挿入口２０９の間には通風口２１１が設けられており、カード蓋１０９が開いた際には通風口２１１を通って外気が内部空間２１２へと流入する。詳細は後述する。尚、通風口２１１の面積は、上述の保持部材２０２に設けられた貫通穴２０４の面積よりも大きくなるように設定されている。
【００２３】
次に、本発明を適用した撮像装置１００の構成について説明する。
【００２４】
図３ａは撮像装置１００の＋Ｚ方向からの斜視図、図３ｂは撮像装置１００のーＺ方向からの斜視図である。
【００２５】
１１１はバヨネット式のレンズマウントであり、各種交換レンズが装着可能となっている。３０１は装着した交換レンズを外す際に使用するレンズリリーススイッチである。尚、バヨネット式のレンズマウントは公知の為、詳細な構造に関しては割愛する。３０２は被写体を表示させて確認する為に用いるファインダーユニット、３０４はバッテリー蓋、３０５はバッテリー蓋を開閉する為のバッテリー蓋開閉スイッチであり、撮像装置１００で使用するバッテリー（図示せず）はバッテリー蓋３０４を開けた内部に収容される。
【００２６】
１０６は撮像装置の電源ｏｎ／ｏｆｆを切り替える為の電源スイッチ、３０３ａ〜３０３ｇはコネクタカバーであり、コネクタカバー３０３ａ〜３０３ｇを開けると、図示しない各種コネクタ端子、例えばＨＤＭＩ（登録商標）コネクタ等、が露出する。また、撮像装置１００の背面（―Ｚ方向）には、前述した外装カバー２０１が取り付けられている。
【００２７】
図３ｂより分かるように、図２ａ〜図２ｇで示した保持部材２０２は撮像装置１００の内部に配置されている部品であり、従って貫通穴２０４を通って内部空間２１２へと流入する空気は、撮像装置１００の内部の空気である。
【００２８】
尚、撮像装置１００はバッテリー蓋３０４、コネクタカバー３０３ａ〜３０３ｇ、カード蓋１０９等を全て閉じた状態では外気に対して密閉された防塵防滴構造となっており、砂漠や雨の中と言った過酷な環境での撮影においても、外部から埃や水滴が侵入しないようになっている。
【００２９】
最後に、上述の構造によるメモリカード１０４の冷却方法について説明する。
【００３０】
図４ａは図２ａのＭ−Ｍ断面図で、且つメモリカード１０４が挿入された状態を示した図であり、図４ｂは図４ａから更にカード蓋１０９が開いた状態を示した図である。
【００３１】
まず、冷却ファン１０７が駆動しており、且つカード蓋１０９が閉じている状態においては、保持部材２０２に設けられた貫通穴２０４を通って内部空間２１２へと空気が流入し、冷却ファン１０７からーＺ方向へと流出する空気の流れが形成される。図２ａ、図４ａにおいて図中２点鎖線の矢印２１３で示しているのがカード蓋１０９が閉じた状態における空気の流れであり、この空気によってメモリカード１０４が冷却される。但し、前述したように、この時貫通穴２０４を通って流入する空気は撮像装置１００の内部の空気である為、撮像装置１００が駆動する際に発生した熱によって暖められた空気である。従って、撮像装置外部の空気と比較すると温度が高く、その分メモリカード１０４に対する放熱効果は低い。
【００３２】
図４ｂは図４ａの状態から、カード蓋１０９が開いた状態を示している。この時、空気の流入経路としては、通風口２１１と、保持部材２０２の貫通穴２０４の両方が存在するが、前述したように通風口２１１の面積の方が貫通穴２０４の面積よりも大きい為、通風口２１１からの流入経路の方がより空気抵抗が少なくなる。よって内部空間２１２に対しては、空気抵抗の低い通風口２１１から空気が流入するようになる。すなわち、図４ｂにおいて２点鎖線の矢印２１４で示す空気の流れへと切り替わる。これにより、メモリカード１０４には温度の低い外気が当たる為、撮像装置１００内部の空気を当てた時と比べてより急速にメモリカード１０４を冷却することが出来るようになる。
【００３３】
以上説明したように、本発明を適用することにより、通常時は本体が密閉されるような構造を持った撮像装置において、カード蓋を閉じて撮影している時は撮像装置内部の空気を循環させて空気を当てることにより、撮像装置内部のメモリカードを放熱しつつ、撮影者がメモリカードを取り出そうとカード蓋を開いた際には、外気を取り込んで、より急速にメモリカードを冷却することができる為、メモリカードに触れた際の熱さによる不快感を防止することができる。
【００３４】
＜第２の実施形態＞
次に、本発明における第２の実施形態について説明を行う。尚、第１の実施例と説明の重複する部分については一部割愛する。
【００３５】
図５は本発明における第２の実施形態の撮像装置５００のシステムを表したブロック図である。
【００３６】
第２の実施形態では、撮像装置５００に対してそれぞれ２組ずつのカード基板５０７及び５１３、カードコネクタ５０８及び５１４、カード着脱検知部５１０及び５１６、開閉検知部５１１及び５１７、カード蓋５１２及び５１８が撮像装置５００に搭載されており、メモリカードもメモリカード５０９と５１５が同時に２枚着脱可能となっている。
【００３７】
次に、本発明における第２の実施形態の構造及びそれらを用いたメモリカード５０９、５１５の冷却方法について説明する。
【００３８】
図６ａは第２の実施形態の構造を＋Ｚ方向から見た正面図、図６ｂは図６ａのＮ−Ｎ断面図で、メモリカード５０９、５１５が挿入された状態を示した図である。
【００３９】
第１の実施形態との違いは、保持部材６０２に対して、冷却ファン５０５と、２枚のカード基板カード基板５０７、５１３が保持されていることである。カードコネクタ５０８、５１４はお互い対向する向きになるようカード基板５０７、５１３に実装されている。
【００４０】
図６ｂに示すように、カード蓋５１２及び５１８が閉じた状態においては、保持部材６０２、カード基板５０７及び５１３、外装カバー６０１、カード蓋５１２及び５１８、冷却ファン５０５により囲まれた内部空間６０７は、貫通穴６０４と冷却ファン５０５の部分以外は略密閉されている。
【００４１】
上述の構成において、冷却ファン５０５が駆動しており、且つカード蓋５１２、５１８が共に閉じている状態においては、保持部材６０２に設けられた貫通穴６０４を通って内部空間６０７へと空気が流入し、冷却ファン５０５から＋Ｚ方向に流出する空気の流れが形成される。
【００４２】
図６ａにおいて図中２点鎖線の矢印６０９で示しているのがカード蓋５１２、５１８が共に閉じている状態における空気の流れであり、この空気によってメモリカード５０９、５１５が冷却される。但し、この時流入する空気は、撮像装置５００の内部の空気である為、撮像装置５００が駆動する際に発生した熱によって暖められた空気である。従って、撮像装置外部の空気と比較すると温度が高く、その分メモリカード６０９、６１５に対する放熱効果は低い。
【００４３】
図６ｃは図６ｂの状態から、カード蓋５１２、５１８が共に開いた状態を示している。
【００４４】
通風口６０５ａ、６０５ｂの面積は、どちらも保持部材６０２の貫通穴６０４の面積よりも大きい為、内部空間６０７に対しては、より空気抵抗の低い通風口６０５ａ、６０５ｂから空気が流入するようになる。すなわち、図６ｃにおいて２点鎖線の矢印６１０ａ、６１０ｂで示す空気の流れへと切り替わる。これにより、メモリカード５０９、５１５には撮像装置５００の内部の空気よりも温度の低い外気が当たる為、撮像装置５００内部の空気を当てた時と比べてより急速にメモリカード５０９、５１５を冷却することが出来るようになる。
【００４５】
また、実施形態１に対して実施形態２では２枚のメモリカード５０９、５１８を同時に冷却することができる為、より効率の良い冷却構造となる。
【００４６】
尚、カード蓋５１２、５１８のうちいずれか片方が開いている状態においては、第１の実施形態と同じ説明となる為、ここでは割愛する。
【００４７】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４８】
１００  撮像装置、１０１  制御部、１０２  カード基板、１０３  カードコネクタ、
１０４  メモリカード、１０５  カード着脱検知部、１０６  電源スイッチ、
１０７  冷却ファン、１０８  開閉検知部、１０９  カード蓋、１１０  撮像部、
１１１  レンズマウント、１１２  交換レンズ、２０１  外装カバー、
２０２  保持部材、２０３ａ〜２０３ｄ  ビス、２０４  貫通穴、
２０５  カード蓋開閉スイッチ、２０６  回転軸、２０７ａ〜２０７ｄ  ビス、
２０８  カード着脱スイッチ、２０９  コネクタ挿入口、２１０  カバー開口部、
２１１  通風口、２１２  内部空間、２１３  空気経路、２１４  空気経路、
３０１  レンズリリーススイッチ、３０２  ファインダーユニット、
３０３ａ〜３０３ｇ  コネクタ蓋、３０４  バッテリー蓋、
３０５  バッテリー蓋開閉スイッチ、５００  撮像装置、５０１  レンズマウント、
５０２  制御部、５０３  交換レンズ、５０４  撮像部、５０５  冷却ファン、
５０６  電源スイッチ、５０７  カード基板、５０８  カードコネクタ、
５０９  メモリカード、５１０  カード着脱検知部、５１１  開閉検知部、
５１２  カード蓋、５１３  カード基板、５１４  カードコネクタ、
５１５  メモリカード、５１６  カード着脱検知部Ｂ、５１７  開閉検知部Ｂ、
５１８  カード蓋、６０１  外装カバー、６０２  保持部材、
６０３ａ〜６０３ｄ  ビス、６０４  貫通穴、６０５ａ，６０５ｂ  通風口、
６０６ａ，６０６ｂ  回転軸、６０７  内部空間、
６０８ａ，６０８ｂ  カード蓋開閉スイッチ、６０９  空気経路、
６１０ａ，６１０ｂ  空気経路
【図１】
2017126232.tif 000003
【図２ａ】
2017126232.tif 000004
【図２ｂ】
2017126232.tif 000005
【図２ｃ】
2017126232.tif 000006
【図２ｄ】
2017126232.tif 000007
【図２ｅ】
2017126232.tif 000008
【図２ｆ】
2017126232.tif 000009
【図２ｇ】
2017126232.tif 000010
【図３ａ】
2017126232.tif 000011
【図３ｂ】
2017126232.tif 000012
【図４ａ】
2017126232.tif 000013
【図４ｂ】
2017126232.tif 000014
【図５】
2017126232.tif 000015
【図６ａ】
2017126232.tif 000016
【図６ｂ】
2017126232.tif 000017
【図６ｃ】
2017126232.tif 000018